(57)【要約】【課題】透明トナーによって形成された画像を複写することができる。【解決手段】原稿を読み取る読取手段と、読取手段により読み取られた原稿の画像に、透明トナーによって形成される画像の形成位置を示す位置情報が含まれているか否かを判定する判定手段と、判定手段により透明トナー画像によって形成される画像の形成位置を示す位置情報が含まれていると判定された場合に、当該位置情報に基づいて、原稿の画像及び前記透明トナーを用いた画像を形成する画像形成手段とを備える。【選択図】図１５
2010278953.tif 000002
【特許請求の範囲】
【請求項１】
原稿を読み取る読取手段と、
前記読取手段により読み取られた原稿の画像に透明トナーによって形成される画像の形成位置を示す位置情報が含まれているか否かを判定する判定手段と、
前記判定手段により前記透明トナーによって形成される画像の形成位置を示す位置情報が含まれていると判定された場合に、当該位置情報に基づいて、前記原稿の画像及び前記透明トナーを用いた画像を形成する画像形成手段とを備えることを特徴とする画像形成装置。
【請求項２】
外部の装置から、前記透明トナーによる画像の形成位置を示すデータを受信する受信手段をさらに備え、
前記画像形成手段は、前記受信手段によって受信されたデータに基づいて、前記透明トナーによって形成される画像形成位置を示す位置情報をシートに付加することを特徴とする請求項１に記載の画像形成装置。
【請求項３】
前記画像形成手段は、印刷手段であり、
前記印刷手段は、前記透明トナーによって形成される画像の形成位置を示す位置情報に基づいて、前記原稿の画像データ及び前記透明トナーを用いた画像を印刷することを特徴とする請求項１または２に記載の画像形成装置。
【請求項４】
前記位置情報は、前記透明トナーによって形成される画像の形成位置及びサイズを示す情報を含むことを特徴とする請求項１乃至３のいずれかに記載の画像形成装置。
【請求項５】
前記位置情報は、前記透明トナーによって形成される画像の形成位置及びサイズ及び傾きを示す情報を含むことを特徴とする請求項１乃至４のいずれかに記載の画像形成装置。
【請求項６】
画像形成装置に画像データを送信する情報処理装置であって、
透明トナーによって形成される画像の形成位置を示す位置情報を生成する生成手段と、
前記生成手段によって生成された前記位置情報に基づいて前記透明トナーによって形成される画像を、前記画像形成装置により形成させるために、前記位置情報を当該画像形成装置に送信する送信手段とを備えることを特徴とする情報処理装置。
【請求項７】
原稿を読み取る読取手段により読み取られた原稿の画像に透明トナーによって形成される画像の形成位置を示す位置情報が含まれているか否かを判定する判定工程と、
前記判定工程にて前記透明トナーを用いた画像によって形成される画像の形成位置を示す位置情報が含まれていると判定された場合に、当該位置情報に基づいて、前記原稿の画像及び前記透明トナーを用いた画像を形成する画像形成工程とを備えることを特徴とする画像形成装置の制御方法。
【請求項８】
画像形成装置に画像データを送信する情報処理装置の制御方法であって、
透明トナーによって形成される画像の形成位置を示す位置情報を生成する生成工程と、
前記生成工程にて生成された前記位置情報に基づいて前記透明トナーによって形成される画像を、前記画像形成装置により形成させるために、前記位置情報を当該画像形成装置に送信する送信工程とを備えることを特徴とする情報処理装置の制御方法。
【請求項９】
請求項７に記載の制御方法を、コンピュータに実行させるためのプログラム。
【請求項１０】
請求項８に記載の制御方法を、コンピュータに実行させるためのプログラム。
【発明の詳細な説明】
【技術分野】
【０００１】
本発明は、画像形成装置、情報処理装置、画像形成装置の制御方法、情報処理装置の制御方法及びプログラムに関する。
【背景技術】
【０００２】
スキャナから読み取った原稿の画像データを印刷する複写機能を備える画像形成装置がある。この画像形成装置では、原稿に光を照射して、その反射光をスキャナ部のＲ（赤）、Ｇ（緑）、Ｂ（青）の各色の読取センサで検出して原稿の画像を読み取り、読み取った画像を印刷することで原稿の画像を複写する。
【０００３】
また、原稿の画像に透明トナー（クリアトナー）画像を印刷することができる画像形成装置が提案されている（特許文献１）。この提案では、原稿の画像に透明トナー画像を重ねて印刷することにより、原稿の画像に光沢を付与したり、原稿の画像を保護したりすることができる。
【先行技術文献】
【特許文献】
【０００４】
【特許文献１】特開２００６−１７１３０６号公報
【発明の開示】
【発明が解決しようとする課題】
【０００５】
しかし、透明トナーが印刷された原稿の画像を複写する場合、透明トナー以外のトナーで印刷された画像はスキャナ部の色別の読取センサで検出して複写することができるが、透明トナーは色を持たないため読取センサで検出できず、複写することができない。
【０００６】
そこで、本発明は、透明トナーによって形成された画像を複写することができる仕組みを提供することを目的とする。
【課題を解決するための手段】
【０００７】
上記目的を達成するために、本発明の画像形成装置は、原稿を読み取る読取手段と、読取手段により読み取られた原稿の画像に、透明トナーによって形成される画像の形成位置を示す位置情報が含まれているか否かを判定する判定手段と、判定手段により透明トナー画像によって形成される画像の形成位置を示す位置情報が含まれていると判定された場合に、当該位置情報に基づいて、原稿の画像及び前記透明トナーを用いた画像を形成する画像形成手段とを備えることを特徴とする。
【発明の効果】
【０００８】
本発明によれば、透明トナーによって形成された画像を複写することができる。
【図面の簡単な説明】
【０００９】
【図１】本発明の第１の実施形態である画像処理システムの構成例を説明するための図である。
【図２】ＰＣの構成例を説明するためのブロック図である。
【図３】ＭＦＰの構成例を説明するためのブロック図である。
【図４】ＭＦＰのハードウェアの構成例を説明するための概略断面図である。
【図５】ＰＣで作成された画像データがＭＦＰで印刷されるまでの処理例について説明するための説明図である。
【図６】帳票データ作成ソフトウェアを用いた処理について説明するための図である。
【図７】プリンタドライバの設定画面について説明するための図である。
【図８】ＰＣのプリンタドライバがＭＦＰに送信するデータの構造の一例を示す図である。
【図９】プリンタドライバの設定画面のうちクリアトナー処理に関するクリアトナー領域セクションの具体例を示す図である。
【図１０】図９に示すクリアトナー領域セクションの情報に基づいて指定されるクリアトナーの印刷領域を示す図である。
【図１１】クリアトナーを印刷すべき位置を示す印刷位置情報をＰＣＡＭで符号化して点画を生成し、画像データに合成する処理を説明するための説明図である。
【図１２】ＭＦＰにおいて、Ｃ，Ｍ，Ｙ，Ｋで印刷される画像データとクリアトナーで印刷される画像データとを重ね合わせる処理を説明するための説明図である。
【図１３】ＰＣで実行されるデータの処理例について説明するためのフローチャート図である。
【図１４】ＭＦＰにおいて、ＰＣから受信したデータに基づいて印刷を実行する際の処理例について説明するためのフローチャート図である。
【図１５】ＭＦＰにおける、原稿の複写（コピー）を実行する際の処理例について説明するためのフローチャート図である。
【図１６】原稿台ガラスに原稿が逆さに置かれたときの画像データの処理を説明するための図である。
【図１７】原稿台ガラスに原稿がずれた状態で置かれたときの画像データの処理を説明するための図である。
【図１８】本発明の第２の実施形態である画像処理システムにおいて、ＰＣのプリンタドライバからＭＦＰに送信されるデータの構造例を示す図である。
【図１９】プリンタドライバの設定画面のうちクリアトナー処理に関するクリアトナー領域セクション及び基準図形セクションの具体例を示す図である。
【図２０】ＰＣが実行するデータ処理例について説明するためのフローチャート図である。
【図２１】ＭＦＰにおいて、ＰＣから受信したデータに基づいて印刷を実行する際の処理例について説明するためのフローチャート図である。
【図２２】ＭＦＰにおける、原稿の複写（コピー）を実行する際の処理例について説明するためのフローチャート図である。
【図２３】図２２のステップＳ２２０８〜ステップＳ２２１０において、ＭＦＰのＣＰＵにより実行される処理を説明するための説明図である。
【発明を実施するための最良の形態】
【００１０】
以下、本発明の実施形態を図面を参照して説明する。
【００１１】
（第１の実施形態）
図１は、本発明の第１の実施形態である画像処理システム（画像形成システム）の構成例を説明するための図である。
【００１２】
図１に示すように、本実施形態の画像処理システムは、ＰＣ（パーソナルコンピュータ）１０１、ＭＦＰ１０２、及びＭＦＰ１０３がＬＡＮ等のネットワーク１０４を介して互いに通信可能に接続されている。
【００１３】
ＰＣ（情報処理装置）１０１は、画像データ作成プログラムにより作成された画像データをＭＦＰ１０２又はＭＦＰ１０３に送信する。また、ＰＣ１０１は、画像データを送信する際に、その画像データの印刷設定に関する情報を、プリンタドライバを介してユーザから受け付け、受け付けた情報を画像データに関連付けて印刷ジョブとして送信することができる。更に、ＰＣ１０１は、画像データ作成プログラムによりクリアトナー（透明トナー）を用いた画像データを作成することができる。
【００１４】
ＭＦＰ（画像形成装置、または画像処理装置）１０２は、コピー機能、ファクシミリ機能、スキャナ機能、プリント機能等を有するカラー複合機である。ＭＦＰ１０２は、ＰＣ１０１から画像データやコマンドを受信し、受信した画像データに対してコマンドに従った画像処理を行う。また、ＭＦＰ１０２は、スキャナ部３０４（図３参照）を用いて原稿の画像を読み取り、読み取った画像をプリンタ部３０５で印刷する。
【００１５】
なお、ＭＦＰ１０３は、本実施形態では、ＭＦＰ１０２と同一構成のカラー複合機としているが、これに限定されない。また、ＭＦＰ１０２，１０３に代えて、１つの機能を有するＳＦＰやモノクロ複合機を採用してもよい。モノクロ複合機の場合は、黒色のトナーに加えて、クリアトナーを印刷できるものとする。
【００１６】
次に、図２を参照して、ＰＣ１０１の構成例について説明する。
【００１７】
図２において、ＣＰＵ２０１は、ＲＯＭ２０２に格納されたプログラムに従って各種制御を行う。ＲＯＭ２０２には、ＣＰＵ２０１によって実行されるプログラムの他、ＰＣ１０１を起動するためのブートプログラムや、ＯＳ（オペレーティングシステム）も格納される。ＲＡＭ２０３は、ＣＰＵ２０１がプログラムを実行する際に、変数やデータ等を格納し、主にＣＰＵ２０１の作業用メモリとして用いられる。
【００１８】
操作部２０４は、キーボードやマウス等から構成され、ＰＣ１０１に対するユーザからの操作や指示を受け付ける。表示部２０５は、ディスプレイと表示用のメモリであるＶＲＡＭを有し、ＣＰＵ２０１によってＶＲＡＭに転送された表示用データに従ってディスプレイに画面を表示する。例えば、表示部２０５は、ソフトウェアの実行画面やＭＦＰ１０２に対する指示を行うための画面をディスプレイに表示する。
【００１９】
ＨＤＤ２０６は、外部からインストールされるプログラムや、プログラムによって作成される画像データを記憶する。通信インタフェース２０７は、ネットワーク１０４を介して接続された外部装置（例えば、ＭＦＰ１０２やＭＦＰ１０３）との通信を行うためのインタフェース制御を行う。外部記憶装置制御部２０８は、ＰＣ１０１に接続された外部記憶装置との通信を制御する。外部記憶装置の例としては、ＵＳＢメモリや外付けのＨＤＤ等がある。
【００２０】
次に、図３を参照して、ＭＦＰ１０２の構成例について説明する。
【００２１】
図３において、ＣＰＵ３０１は、ＲＯＭ３０２に格納されたプログラムに従って各種制御を行う。ＲＯＭ３０２は、ＣＰＵ３０１によって実行されるプログラムを格納する。ＲＡＭ３０３は、ＣＰＵ３０１がプログラムを実行する際に、変数やデータ等を格納し、主にＣＰＵ３０１の作業用メモリとして用いられる。
【００２２】
スキャナ部３０４は、ＣＰＵ３０１からの指示に基づいて原稿の画像を読取り、読取ったデータを画像データに変換する。プリンタ部３０５は、ＣＰＵ３０１からの指示に基づいて画像データをシートに印刷する。圧縮伸張部３０６は、画像データの圧縮及び伸張処理を行う。
【００２３】
操作部３０７は、キーボード、タッチパネル、ＬＣＤ、ＬＥＤ等から構成され、ユーザによる印刷設定や印刷ジョブの実行指示等の各種操作を受け付け、また、ユーザに対して印刷状況の表示や警告等を行う。ＨＤＤ３０８は、スキャナ部２０４で読取られた画像データやＰＣ１０１からネットワーク１０４を介して受信した画像データを記憶する。
【００２４】
外部Ｉ／Ｆ３０９は、ネットワーク１０４を介して接続された外部装置（例えばＰＣ１０１やＭＦＰ１０３）と通信を行うためのインタフェース制御を行う。なお、ＭＦＰ１０３は、ＭＦＰ１０２と同一構成であるので、その説明を省略する。
【００２５】
次に、図４を参照して、ＭＦＰ１０２のハードウェアの構成例について説明する。
【００２６】
図４において、イメージスキャナ部４０１（図３の３０４に対応）は、原稿４０４の画像を読み取り、読み取ったデータに対してデジタル信号処理を行う。プリンタ部４０２（図３の３０５に対応）は、イメージスキャナ部４０１によって読取られた原稿４０４の画像に対応した画像をシートにフルカラーでプリント出力する。
【００２７】
イメージスキャナ部４０１において、原稿台ガラス４０３上の原稿４０４に対してランプ４０５から光が照射されると、その反射光がミラー４０６，４０７，４０８に導かれる。ミラー４０６，４０７，４０８に導かれた反射光は、レンズ４０９を介して３ラインの撮像素子４１０に結像し、フルカラー情報としてのレッド（Ｒ），グリーン（Ｇ），ブルー（Ｂ）の３つの画像信号が撮像素子４１０から信号処理部４１１に送信される。
【００２８】
なお、原稿４０４の画像は、本実施形態では、例えば、主走査および副走査ともに６００ｄｐｉの解像度で読み取られ、読み取られた画像信号は原稿１ページ分の単位で信号処理部４１１内のデータ蓄積手段に蓄積される。
【００２９】
信号処理部４１１においては、内部に蓄積された画像信号を画素単位で電気的に処理して、マゼンタ（Ｍ），シアン（Ｃ），イエロー（Ｙ），ブラック（Ｂｋ）の各成分に分解し、プリンタ部４０２に送信する。また、信号処理部４１１の内部には、透明パターン生成部があり、透明パターン生成部は、透明画像データ（ＣＬ）を画素単位で生成してプリンタ部４０２へ送信する。この透明画像データは、予めＭＦＰ１０２に登録されている情報（クリアトナー画像データ）、または外部装置から受信した情報に基づいて生成される。
【００３０】
プリンタ部４０２は、信号処理部４１１から送信されたＭ，Ｃ，Ｙ，Ｂｋ，ＣＬの画像信号を受信し、受信した画像信号をレーザドライバ４１２に送信する。レーザドライバ４１２は、受信した画像信号に応じて半導体レーザ４１３を変調駆動し、半導体レーザ４１３から出力されたレーザ光は、ポリゴンミラー４１４、Ｆ−θレンズ４１５、ミラー４１６を介して感光ドラム４１７を走査する。
【００３１】
回転現像器４１８は、マゼンタ現像部４１９、シアン現像部４２０、イエロー現像部４２１、ブラック現像部４２２、及びクリア（透明）現像部４２３により構成され、５つの現像部が交互に感光ドラム４１７に接する。これにより、回転現像器４１８は、感光ドラム４１７に形成された静電現像を各色のトナーで現像する。転写ドラム４２４は、給紙カセット４２５，４２６から給紙されるシートを巻き付けて感光ドラム４１７に現像された像をシートに転写する。
【００３２】
この様にして、Ｃ，Ｍ，Ｙ，ＢｋおよびＣＬ（透明）の５色が順次転写されたシートは、定着ユニット４２７を通過してトナーが定着された後に排紙される。
【００３３】
次に、図５を参照して、ＰＣ１０１で作成された画像データがＭＦＰ１０２で印刷されるまでの処理例について説明する。
【００３４】
図５に示すように、ＰＣ１０１は、画像データ作成プログラム５０１、ＧＤＩ５０２、及びプリンタドライバ５０３を有する。
【００３５】
画像データ作成プログラム５０１には、描画を行うペイントソフトウェアや、主に文字データを作成するワープロソフトウェア、業務ごとに決まった帳票データを作成するための帳票データ作成ソフトウェア等がある。画像データ作成プログラム５０１は、ユーザによって作成された画像データ、及びＧＤＩ（Ｇｒａｐｈｉｃ  Ｄｅｖｉｃｅ  Ｉｎｔｅｒｆａｃｅ）５０２による画像データの描画処理に必要な関数をＧＤＩ５０２に送信する（５０４）。
【００３６】
ＧＤＩ５０２は、ＯＳ（オペレーティングシステム）の描画モジュールで、グラフィックス処理を行うプログラムの１つである。ＧＤＩ５０２は、画像データ作成プログラム５０１で作成された画像データを受け付け、受け付けた画像データをプリンタドライバ５０３が処理できる形式のデータに変換してプリンタドライバ５０３に転送する（５０５）。
【００３７】
プリンタドライバ５０３は、ＧＤＩ５０２から転送されたデータをＰＤＬ（Ｐａｇｅ  Ｓｃｒｉｐｔ  Ｌａｎｇｕａｇｅ）に変換して、ＭＦＰ１０２に送信する（５０７）。
【００３８】
また、画像データ作成プログラム５０１は、ＧＤＩが処理できない処理の実行要求、例えば、クリアトナーの描画の実行要求をプリンタドライバ５０３に直接送信することができる（５０６）。この場合、プリンタドライバ５０３は、クリアトナーで印刷する画像をＭＦＰ１０２に送信する（５０８）。
【００３９】
ＭＦＰ１０２は、ＰＤＬとクリアトナーで印刷する画像を受信し、受信したＰＤＬを解析してＣ，Ｍ，Ｙ，Ｂｋのトナーによって印刷し、また、受信したクリアトナー（ＣＬ）で印刷する画像をクリアトナーによって印刷し、定着させる。このようにして、クリアトナーが印刷された印刷物を作成することができる。
【００４０】
次に、図６を参照して、ＰＣ１０１における帳票データ作成ソフトウェアを用いた処理について説明する。図６は、帳票データ作成ソフトウェアを実行したときにＰＣ１０１の表示部２０５に表示される実行画面の一例を示す図である。
【００４１】
帳票データ作成ソフトウェアは、ページごとに変わるデータをファイルやネットワーク経由で取得し、業務ごとに決まった帳票テンプレートと重ね合わせて帳票ドキュメントを生成するものである。帳票データ作成ソフトウェアを用いることによって、描画ソフトウェアと同様に、帳票テンプレートの枠線や文字列を編集するほかに、クリアトナーで印刷する多角形の領域を描画することができる。
【００４２】
パレット６０１は、描画ツールを集めたものである。ユーザは、操作部２０４を操作してパレット６０１のツールを指定し、指定したツールを利用することによって描画することができる。尚、ツール６０４は、クリアトナーを載せる領域を指定するクリアトナー領域指定ツールである。ユーザは、このクリアトナー領域指定ツールが選択された状態で操作部２０４のマウスをドラッグすることによって、クリアトナーを載せる領域を指定することができる。
【００４３】
キャンバス６０２は、編集ソフトウェアのキャンバスを表す。ユーザは、キャンバス６０２で選択した描画ツールをマウスやキーボードで操作することによって、帳票テンプレート図を作成することができる。
【００４４】
クリアトナー領域６０３は、クリアトナー領域指定ツール６０４を選択し、キャンバス６０２でマウスをドラッグアンドドロップすることで作成することができる。尚、クリアトナー領域６０３は、矩形の領域としているが、丸型の領域であってもよい。
【００４５】
次に、図７を参照して、プリンタドライバの設定画面について説明する。図７は、ＰＣ１０１の表示部２０５に表示されるプリンタドライバの設定画面のうちクリアトナーに関する設定画面の一例を示す図である。本実施形態では、ＰＣ１０１からＭＦＰ１０２に印刷データを送信して印刷を行う場合について説明する。
【００４６】
図７において、チェックボックス７０１は、画像データ作成プログラム５０１によって作成されたクリアトナーを印刷するか否かをユーザが指定するためのものである。チェックボックス７０１がチェックされた状態で印刷の指示がなされると、ＰＣ１０１は、印刷を実行するＭＦＰ１０２に対してクリアトナーの印刷を行うように指示する。
【００４７】
一方、チェックボックス７０１がチェックされていない状態で印刷の指示がなされると、ＰＣ１０１は、印刷を実行するＭＦＰ１０２に対してクリアトナー以外のトナーによる印刷を行うように指示する。
【００４８】
なお、ＭＦＰ１０２が、例えばクリアトナーの不足により、クリアトナーを印刷できない状態の場合、ＭＦＰ１０２がＰＣ１０１にその旨を通知し、ＰＣ１０１は、チェックボックス７０１をグレイアウト表示し、チェックできないようにするとよい。
【００４９】
チェックボックス７０２は、クリアトナーを複写可能にするための情報を付加するか否かを指定するためのものである。このチェックボックス７０２が指定された状態で印刷の指示がなされると、ＰＣ１０１は、ＭＦＰ１０２に対してクリアトナーの印刷位置情報（画像形成位置情報）を印刷物に埋め込むように指示する。
【００５０】
これにより、印刷物に埋め込まれたクリアトナーの印刷位置情報をＭＦＰ１０２のスキャナ部が読み取り、該印刷位置情報に基づいてクリアトナーを複写することができる。また、ＭＦＰ１０２以外のＭＦＰでも、ＭＦＰ１０２と同様の構成を有していれば、該印刷位置情報に基づいてクリアトナーを複写することができる。なお、クリアトナー処理のチェックボックス７０１がＯＦＦの場合は、チェックボックス７０２は淡色表示となり、チェックすることができない。
【００５１】
本実施形態では、クリアトナーの印刷位置情報の埋め込み例として、デジタル情報に冗長性情報を付加し、２次元周波数分解してシート全体に薄く広くドットを配置する方法（ＰＣＡＭ）を採用するが、これに限定されない。例えば、クリアトナーの印刷位置情報は、２次元バーコード等の情報であってもよい。
【００５２】
次に、図８を参照して、ＰＣ１０１のプリンタドライバ５０３がＭＦＰ１０２に送信するデータの構造について説明する。
【００５３】
図８において、ヘッダセクション８０１には、データ全体のサイズ、データの作成者、データを印刷するための用紙情報、及びセキュリティ情報などが含まれる。
【００５４】
図形セクション８０２は、描画ツールで作成した図形の種類、位置、サイズ、色などを図形ごとに保持する。
【００５５】
データ対応定義セクション８０３は、このデータで送られるテンプレートと重ね合わせるデータのうち、どの部分をどの図形にどのように重ね合わせるかを保持する。例えば、ＣＳＶで表されたデータの３カラム目はページ右上の長方形の図形内に文字列として重ね合わせる、などである。
【００５６】
オブジェクトセクション８０４は、図形のうち特殊なパラメータを必要とするものの情報を格納する。このセクション８０４は、イメージセクション８０５及びクリアトナー領域セクション８０６に大別される。
【００５７】
イメージセクション８０５は、イメージの位置・サイズの他にイメージファイルのパスあるいはイメージデータそのものを保持する。
【００５８】
クリアトナー領域セクション８０６は、クリアトナー領域の情報を保持し、保持する内容は、クリアトナー領域の形状、クリアトナー領域の位置、およびクリアトナー領域のサイズの３種類である。
【００５９】
次に、図９及び図１０を参照して、クリアトナーが実際に印刷されるまでの処理例について説明する。
【００６０】
図９は図８に示すデータ構造のうちクリアトナー処理に関するクリアトナー領域セクション８０６の具体例を示す図、図１０は図９に示すクリアトナー領域セクション８０６の情報に基づいて指定されるクリアトナーの印刷領域を示す図である。
【００６１】
クリアトナー領域セクションが保持する内容は、上述したように、クリアトナー領域の形状（傾き）、クリアトナー領域の位置、およびクリアトナー領域のサイズの３種類である。
【００６２】
図９に示すデータ構造は、図１０に示すように、画像データの左上端を基準として、Ｘ軸方向に８０、Ｙ軸方向に６０の位置を始点として、Ｘ軸方向に１００、Ｙ軸方向に７０の領域にクリアトナーを印刷するように指定されていることを示す。このデータ構造において、位置を示す座標の原点は紙面の左上であり、長さの単位は画素数とする。
【００６３】
図１１は、クリアトナーを印刷すべき位置を示す印刷位置情報をＰＣＡＭで符号化して点画を生成し、画像データに合成する処理を説明するための説明図である。
【００６４】
図１１において、画像データ１１０１は、画像データ作成プログラム５０１によって作成される。点画１１０２は、図９に示すクリアトナーの印刷位置情報をＰＣＡＭで符号化して生成したものである。この点画１１０２は、画像データ作成プログラム５０１によって生成されたクリアトナーの指定に基づいてＰＣ１０１のＣＰＵ２０１によって生成される。
【００６５】
画像データ１１０３は、プリンタドライバ５０３が画像データ１１０１と点画１１０２とを重ね合わせて生成したものである。プリンタドライバ５０３は、この画像データ１１０３をＣ，Ｍ，Ｙ，Ｋによって印刷すべきデータとしてＭＦＰ１０２に送信する。
【００６６】
図１２は、ＭＦＰ１０２において、Ｃ，Ｍ，Ｙ，Ｋで印刷される画像データとクリアトナーで印刷される画像データとを重ね合わせる処理を説明するための説明図である。
【００６７】
図１２において、画像データ１２０１は、プリンタドライバ５０３が合成した画像データである。画像データ１２０２は、画像データ作成プログラム８０１によって印刷するように設定されたクリアトナーの画像データである。画像データ１２０３は、画像データ１２０１と画像データ１２０２とを重ね合わせ、ＭＦＰ１０２によって印刷される画像である。
【００６８】
まず、ＭＦＰ１０２のＣＰＵ３０１は、ＰＣ１０１のプリンタドライバ５０３から受信したデータをラスタライズすることによって画像データ１２０１と画像データ１２０２を得る。そして、ＭＦＰ１０２は、ラスタライズして得られた画像データ１２０１，１２０２に基づき、画像データ１２０１をＣ，Ｍ，Ｙ，Ｋのトナーで印刷した後、その上から画像データ１２０２をクリアトナーで印刷し、画像データ１２０３を出力する。ここで、ＭＦＰ１０２は、Ｃ，Ｍ，Ｙ，Ｋのトナー及びＣＬのトナーの印刷を次のような方法で行うとよい。給紙カセット４２５、４２６から給紙されたシートに、画像データ１２０１に基づいてＣ，Ｍ，Ｙ，Ｋのトナーを印刷し、定着器４２７によって定着して排紙トレイに排紙する。そして、排紙されたシートが、再度給紙カセット４２５または４２６にセットされ、スタートキーが押されたら、画像データ１２０２に基づいてクリアトナーを用いた印刷を行うように制御する。
【００６９】
次に、図１３を参照して、ＰＣ１０１で実行されるデータの処理例について説明する。図１３での各処理は、ＰＣ１０１のＲＯＭ２０２やＨＤＤ２０６等に記憶された制御プログラムがＲＡＭ２０３にロードされて、ＣＰＵ２０１により実行される。
【００７０】
ステップＳ１３０１では、ＣＰＵ２０１は、図７に示すプリンタドライバ５０３の画面を表示部２０５に表示し、ステップＳ１３０２に進む。
【００７１】
ステップＳ１３０２では、ＣＰＵ２０１は、操作部２０４を介してユーザから印刷に関する各種設定を受け付け、ステップＳ１３０３に進む。
【００７２】
ステップＳ１３０３では、ＣＰＵ２０１は、プリンタドライバ５０３の画面を介して印刷の実行指示がなされたか否かを判定する。そして、ＣＰＵ２０１は、印刷の実行指示がなされるまで、ステップＳ１３０２〜ステップＳ１３０３の処理を繰り返し、印刷の実行指示がなされたと判定した場合は、ステップＳ１３０４に進む。
【００７３】
ステップＳ１３０４では、ＣＰＵ２０１は、プリンタドライバ５０３の画面での設定を確認し、クリアトナーの印刷指定がされているか否かを判定する。そして、ＣＰＵ２０１は、クリアトナーの印刷指定がされている場合は、ステップＳ１３０５に進み、クリアトナーの印刷指定がされていない場合は、ステップＳ１３０８に進む。
【００７４】
ステップＳ１３０５では、ＣＰＵ２０１は、クリアトナーを印刷するためのコマンドを印刷ジョブに付加し、ステップＳ１３０６に進む。
【００７５】
ステップＳ１３０６では、ＣＰＵ２０１は、クリアトナーをコピー可能にするように指定されているか否かを判定する。そして、ＣＰＵ２０１は、クリアトナーをコピー可能にするように指定されていると判定した場合は、ステップＳ１３０７に進み、そうでない場合は、ステップＳ１３０７ａに進む。
【００７６】
ステップＳ１３０７では、ＣＰＵ２０１は、クリアトナーの印刷位置を示す符号パターンを印刷するためのコマンドを印刷ジョブに付加し、ステップＳ１３０７ａに進む。
【００７７】
ステップＳ１３０７ａでは、ＣＰＵ２０１は、印刷ジョブを生成し、ステップＳ１３０９に進む。
【００７８】
一方、ステップＳ１３０８では、ＣＰＵ２０１は、Ｃ，Ｍ，Ｙ，Ｋの通常のトナーを用いて印刷するように指定した印刷ジョブを生成し、ステップＳ１３０９に進む。
【００７９】
ステップＳ１３０９では、ＣＰＵ２０１は、ステップＳ１３０８又はステップＳ１３０７ａで生成された印刷ジョブをＭＦＰ１０２に送信し、処理を終了する。
【００８０】
次に、図１４を参照して、ＭＦＰ１０２において、ＰＣ１０１から受信したデータに基づいて印刷を実行する際の処理例について説明する。図１４での各処理は、ＭＦＰ１０２のＲＯＭ３０２やＨＤＤ３０８等に記憶された制御プログラムがＲＡＭ３０３にロードされて、ＣＰＵ３０１により実行される。
【００８１】
ステップＳ１４０１では、ＣＰＵ３０１は、ＰＣ１０１から送信された印刷ジョブを受信したか否かを判定し、受信した場合は、ステップＳ１４０２に進む。
【００８２】
ステップＳ１４０２では、ＣＰＵ３０１は、受信した印刷ジョブをＨＤＤ３０８に格納して、格納した印刷ジョブを解析し、ステップＳ１４０３に進む。
【００８３】
ステップＳ１４０３では、ＣＰＵ３０１は、ステップＳ１４０３で印刷ジョブを解析した結果、印刷ジョブに対してクリアトナーを印刷するように指定されているか否かを判定する。
【００８４】
そして、ＣＰＵ３０１は、クリアトナーを印刷するように指定されていないと判定した場合は、ステップＳ１４０４に進み、Ｃ，Ｍ，Ｙ，Ｋの通常のトナーを用いて画像データの印刷を実行し、処理を終了する。
【００８５】
一方、ＣＰＵ３０１は、クリアトナーを印刷するように指定されていると判定した場合は、ステップＳ１４０５に進む。
【００８６】
ステップＳ１４０５では、ＣＰＵ３０１は、印刷ジョブに対してクリアトナーをコピーするための情報を付加するように指定されているか否かを判定する。
【００８７】
そして、ＣＰＵ３０１は、クリアトナーをコピーするための情報を付加するように指定されていない場合は、ステップＳ１４０６に進み、クリアトナーをコピーするための情報を付加するように指定されている場合は、ステップＳ１４０８に進む。
【００８８】
ステップＳ１４０６では、ＣＰＵ３０１は、Ｃ，Ｍ，Ｙ，Ｋの通常のトナーを用いて画像データの印刷を実行し、ステップＳ１４０７に進む。
【００８９】
ステップＳ１４０７では、ＣＰＵ３０１は、ＰＣ１０１から受信したクリアトナーの印刷指示に基づいて、クリアトナーの印刷を実行し、処理を終了する。
【００９０】
一方、ステップＳ１４０８では、ＣＰＵ３０１は、Ｃ，Ｍ，Ｙ，Ｋの通常のトナーを用いた画像データにクリアトナーの印刷位置を示す情報を点画の情報として表した画像データを重ねて印刷を実行し、ステップＳ１４０９に進む。
【００９１】
ステップＳ１４０９では、ＣＰＵ３０１は、ＰＣ１０１から受信したクリアトナーの印刷指示に基づいて、クリアトナーの印刷を実行し、処理を終了する。
【００９２】
次に、図１５を参照して、ＭＦＰ１０２における、原稿の複写（コピー）を実行する際の処理例について説明する。図１５での各処理は、ＭＦＰ１０２のＲＯＭ３０２やＨＤＤ３０８等に記憶された制御プログラムがＲＡＭ３０３にロードされて、ＣＰＵ３０１により実行される。
【００９３】
ステップＳ１５０１では、ＣＰＵ３０１は、スキャナ部３０４によって原稿の画像を読み取り、ステップＳ１５０２に進む。
【００９４】
ステップＳ１５０２では、ＣＰＵ３０１は、ステップＳ１５０１で読み取った画像データにクリアトナーを印刷するための印刷位置情報が付加されているか否かを判定する。
【００９５】
そして、ＣＰＵ３０１は、クリアトナーを印刷するための印刷位置情報が付加されていると判定した場合は、ステップＳ１５０３に進み、読み取った画像データを印刷して処理を終了する。
【００９６】
一方、ＣＰＵ３０１は、クリアトナーを印刷するための印刷位置情報が付加されていると判定した場合は、ステップＳ１５０４に進む。
【００９７】
ステップＳ１５０４では、ＣＰＵ３０１は、印刷位置情報に基づいてクリアトナーを印刷すべき位置を特定し、ステップＳ１５０５に進む。
【００９８】
ステップＳ１５０５では、ＣＰＵ３０１は、ステップＳ１５０１で読み取った原稿の画像データを印刷し、ステップＳ１５０６に進む。
【００９９】
ステップＳ１５０６では、ＣＰＵ３０１は、ステップＳ１５０４で特定された印刷位置にクリアトナーを印刷し、処理を終了する。
【０１００】
以上説明したように、本実施形態では、原稿の画像にクリアトナーの印刷位置情報を付加することで、スキャナ部によって読み取ることができないクリアトナーを複写することができる。
【０１０１】
（第２の実施形態）
次に、図１６〜図２３を参照して、本発明の第２の実施形態である画像処理システムについて説明する。なお、上記第１の実施形態に対して重複する部分については、符号を流用して説明する。
【０１０２】
上記第１の実施形態では、原稿をコピーする際に、ＭＦＰ１０２のＣＰＵ３０１は、原稿台ガラス４０３上の原稿の画像を読み取り、読み取られた画像データの左上端を原点としてクリアトナーの印刷位置を判定している。そのため、ユーザは、原稿を原稿台ガラス４０３の左上端に突き当てて置かないと、読み取られた画像データに正しくクリアトナーが印刷されないことになる。
【０１０３】
具体的に説明すると、図１６は、原稿台ガラス４０３上に逆さに置かれた原稿１６０１を示す図であり、この状態でスキャナ部３０４により原稿の画像を読み取ると、読み取られた原稿の画像データは逆さのままとなる。
【０１０４】
ここで抽出したクリアトナーの位置情報に対して原稿の画像データの位置及び向きを補正しない上記第１の実施形態では、クリアトナーの画像データは原稿の左上端を原点とする位置から計算されたものとなる。このため、クリアトナーによって印刷される画像データは符号１６０２のようになる。
【０１０５】
ＭＦＰ１０２は、原稿の画像データ１６０１をＣ，Ｍ，Ｙ，Ｋの通常トナーで印刷したものにクリアトナーの画像データ１６０２を重ねて印刷するため、本来印刷したかった画像データとは異なる画像データ１６０３が印刷されることになる。
【０１０６】
また、図１７は原稿台ガラス４０３に原稿１７０１がずれた状態で置かれ、その原稿をスキャナ部３０４で読み取って複写する場合の例を示す図である。
【０１０７】
このように、原稿１７０１が原稿台ガラス４０３上にずれた状態で置かれた場合には、複写される画像データ１７０１とクリアトナー画像１７０２との位置がずれてしまう。このため、図１６と同様に、本来印刷したかった画像データとは異なる画像データ１７０３が印刷されることになる。
【０１０８】
そこで、本実施形態では、スキャナ部３０４で読み取られる原稿上の図形のうち、基準となる基準図形を決めておき、該基準図形とクリアトナーの画像を印刷する位置との位置関係をＰＣＡＭの情報として、原稿に記録する。
【０１０９】
そして、ＰＣＡＭの情報が記録された原稿を複写する場合に、スキャナ部３０４で原稿に記録されたＰＣＡＭの情報を読み取り、基準図形とクリアトナーの画像を印刷する位置との位置関係に基づいてクリアトナーの画像を印刷する。
【０１１０】
これにより、原稿が原稿台ガラス４０３上にずれた状態で置かれた場合でも、クリアトナーの画像を正しい位置に複写することができる。
【０１１１】
次に、ＰＣ１０１及びＭＦＰ１０２における具体的な制御について説明する。
【０１１２】
図１８は、ＰＣ１０１のプリンタドライバ５０３からＭＦＰ１０２に送信されるデータの構造例を示す図である。図１８に示すように、本実施形態では、図８に示すデータ構造に対して、オブジェクションセクション８０４に基準図形セクション８０７が追加されている。
【０１１３】
この基準図形セクション８０７は、図１９に示すように、図形ＩＤを格納する。この基準図形セクション８０７に格納された図形ＩＤは、クリアトナー領域を複写するために用いられる、画像データ中のどの図形を基準図形とするかを示す情報である。
【０１１４】
ＰＣ１０１のＣＰＵ２０１は、基準図形の情報（形状・位置・サイズ・傾き・色など）をプリンタドライバ５０３で符号化してＰＣＡＭ画像とし、画像データに付加する。そして、プリンタドライバ５０５は、ＰＣＡＭ画像が付加された画像データ、及びクリアトナーの画像データをＭＦＰ１０２に送信する。ＭＦＰ１０２は、受信した画像データ及びクリアトナーの画像データに従って印刷する。
【０１１５】
なお、基準図形は、ユーザによって指定されてもよいし、ＰＣ１０１のＣＰＵ２０１によって、自動的に決定されてもよい。
【０１１６】
次に、図２０を参照して、ＰＣ１０１が実行するデータ処理例について説明する。図２０での各処理は、ＰＣ１０１のＲＯＭ２０２やＨＤＤ２０６等に記憶された制御プログラムがＲＡＭ２０３にロードされて、ＣＰＵ２０１により実行される。
【０１１７】
ステップＳ２００１では、ＣＰＵ２０１は、図７に示すプリンタドライバ５０３の画面を表示部２０５に表示し、ステップＳ２００２に進む。
【０１１８】
ステップＳ２００２では、ＣＰＵ２０１は、操作部２０４を介してユーザから印刷に関する各種設定を受け付け、ステップＳ２００３に進む。
【０１１９】
ステップＳ２００３では、ＣＰＵ２０１は、プリンタドライバ５０３の画面を介して印刷の実行指示がなされたか否かを判定する。そして、ＣＰＵ２０１は、印刷の実行指示がなされるまでステップＳ２００２〜ステップＳ２００３の処理を繰り返し、印刷の実行指示がなされたと判定した場合は、ステップＳ２００４に進む。
【０１２０】
ステップＳ２００４では、ＣＰＵ２０１は、プリンタドライバ５０３の画面を介してクリアトナーを印刷するように指定されているか否かを判定する。
【０１２１】
そして、ＣＰＵ２０１は、クリアトナーを印刷するように指定されている場合は、ステップＳ２００５に進み、クリアトナーを印刷するように指定されていない場合は、ステップＳ２０１１に進む。
【０１２２】
ステップＳ２００５では、ＣＰＵ２０１は、印刷ジョブに対してクリアトナーを印刷するためのコマンドを付加し、ステップＳ２００６に進む。
【０１２３】
ステップＳ２００６では、ＣＰＵ２０１は、プリンタドライバ５０３の画面を介してクリアトナーをコピーできるように指定されているか否かを判定する。
【０１２４】
そして、ＣＰＵ２０１は、クリアトナーをコピーできるように指定されていると判定した場合は、ステップＳ２００７に進み、そうでない場合は、ステップＳ２００８ａに進む。
【０１２５】
ステップＳ２００７では、ＣＰＵ２０１は、クリアトナーの印刷位置を基準図形からの相対的な位置で決定するように指定されているか否かを判定する。
【０１２６】
そして、ＣＰＵ２０１は、クリアトナーの印刷位置を基準図形からの相対的な位置で決定するように指定されていると判定した場合は、ステップＳ２００８に進み、そうでない場合は、ステップＳ２００９に進む。
【０１２７】
ステップＳ２００８では、ＣＰＵ２０１は、クリアトナーの印刷位置を基準図形からの相対的な位置として表す符号パターンを印刷するためのコマンド（図１８に示す基準図形セクション）を印刷ジョブに付加し、ステップＳ２００８ａに進む。
【０１２８】
一方、ステップＳ２００９では、ＣＰＵ２０１は、クリアトナーの印刷位置を表す符号パターンを印刷するためのコマンドを印刷ジョブに付加し、ステップＳ２００８ａに進む１に処理を進める。
【０１２９】
ステップＳ２００８ａでは、ＣＰＵ２０１は、付加されたコマンドを含む印刷ジョブを生成し、ステップＳ２０１２に進む。
【０１３０】
一方、ステップＳ２０１１では、ＣＰＵ２０１は、Ｃ，Ｍ，Ｙ，Ｋの通常のトナーを用いて印刷するように指定した印刷ジョブを生成し、ステップＳ２０１２に進む。
【０１３１】
ステップＳ２０１２では、ＣＰＵ２０１は、ステップＳ２００８ａ又はステップＳ２０１１で生成された印刷ジョブをＭＦＰ１０２に送信し、処理を終了する。
【０１３２】
次に、図２１を参照して、ＭＦＰ１０２において、ＰＣ１０１から受信したデータに基づいて印刷を実行する際の処理例について説明する。図２１での各処理は、ＭＦＰ１０２のＲＯＭ３０２やＨＤＤ３０８等に記憶された制御プログラムがＲＡＭ３０３にロードされて、ＣＰＵ３０１により実行される。
【０１３３】
ステップＳ２１０１では、ＣＰＵ３０１は、ＰＣ１０１から印刷ジョブを受信したか否かを判定し、受信した場合は、ステップＳ２１０２に進む。
【０１３４】
ステップＳ２１０２では、ＣＰＵ３０１は、ステップＳ２１０１で受信した印刷ジョブをＨＤＤ３０８に格納して、格納した印刷ジョブを解析し、ステップＳ２１０３に進む。
【０１３５】
ステップＳ２１０３では、ＣＰＵ３０１は、ステップＳ２１０２で印刷ジョブを解析した結果、該印刷ジョブに対してクリアトナーを印刷するように指定されているか否かを判定する。
【０１３６】
そして、ＣＰＵ３０１は、クリアトナーを印刷するように指定されていないと判定した場合は、ステップＳ２１０４に進み、Ｃ，Ｍ，Ｙ，Ｋの通常のトナーを用いて画像データの印刷を実行し、処理を終了する。
【０１３７】
一方、ＣＰＵ３０１は、クリアトナーを印刷するように指定されていると判定した場合は、ステップＳ２１０５に進む。
【０１３８】
ステップＳ２１０５では、ＣＰＵ３０１は、クリアトナーをコピーするための情報を付加するように指定されているか否かを判定する。
【０１３９】
そして、ＣＰＵ３０１は、クリアトナーをコピーするための情報を付加するように指定されていない場合は、ステップＳ２１０６に進み、クリアトナーをコピーするための情報を付加するように指定されている場合は、ステップＳ２１０８に進む。
【０１４０】
ステップＳ２１０６では、ＣＰＵ３０１は、Ｃ，Ｍ，Ｙ，Ｋの通常のトナーを用いて画像データの印刷を実行し、ステップＳ２１０７に進む。
【０１４１】
ステップＳ２１０７では、ＣＰＵ３０１は、ＰＣ１０１から受信したクリアトナーの印刷指示に基づいて、クリアトナーの印刷を実行し、処理を終了する。
【０１４２】
ステップＳ２１０８では、ＣＰＵ３０１は、クリアトナーの印刷位置を基準図形からの相対的な位置に従って印刷するように指定されているか否かを判定し、指定されている場合は、ステップＳ２１１１に進み、指定されていない場合は、ステップＳ２１０９に進む。
【０１４３】
ステップＳ２１０９では、ＣＰＵ３０１は、Ｃ，Ｍ，Ｙ，Ｋの通常のトナーを用いた画像データにクリアトナーの印刷位置に関する情報を付加して印刷を行い、ステップＳ２１１０に進む。
【０１４４】
ステップＳ２１１０では、ＣＰＵ３０１は、ＰＣ１０１から受信したクリアトナーの印刷指示に基づいて、クリアトナーの印刷を実行し、処理を終了する。
【０１４５】
一方、ステップＳ２１１１では、ＣＰＵ３０１は、Ｃ，Ｍ，Ｙ，Ｋの通常のトナーを用いた画像データにクリアトナーの印刷位置（基準図形からの相対的な印刷位置）に関する情報を付加して印刷を行い、ステップＳ２１１２に進む。
【０１４６】
ステップＳ２１１２では、ＣＰＵ３０１は、ＰＣ１０１から受信したクリアトナーの印刷指示に基づいて、クリアトナーの印刷を実行し、処理を終了する。
【０１４７】
次に、図２２を参照して、ＭＦＰ１０２における、原稿の複写を実行する際の処理例について説明する。図２２での各処理は、ＭＦＰ１０２のＲＯＭ３０２やＨＤＤ３０８等に記憶された制御プログラムがＲＡＭ３０３にロードされて、ＣＰＵ３０１により実行される。
【０１４８】
ステップＳ２２０１では、ＣＰＵ３０１は、スキャナ部３０４によって原稿の画像を読み取り、ステップＳ２２０２に進む。
【０１４９】
ステップＳ２２０２では、ＣＰＵ３０１は、ステップＳ２２０１で読み取った画像データにクリアトナーを印刷するための印刷位置情報が付加されているか否かを判定する。
【０１５０】
そして、ＣＰＵ３０１は、クリアトナーを印刷するための印刷位置情報が付加されていないと判定した場合は、ステップＳ２２０３に進み、クリアトナーを印刷するための印刷位置情報が付加されていると判定した場合は、ステップＳ２２０４に進む。
【０１５１】
ステップＳ２２０３では、ＣＰＵ３０１は、Ｃ，Ｍ，Ｙ，Ｋの通常のトナーを用いて読み取った画像データの印刷を実行し、処理を終了する。
【０１５２】
一方、ステップＳ２２０４では、ＣＰＵ３０１は、クリアトナーの印刷位置を基準図形に従って決定するか否かを判定する。
【０１５３】
そして、ＣＰＵ３０１は、クリアトナーの印刷位置を基準図形に従って決定すると判定した場合は、ステップＳ２２０８に進み、クリアトナーの印刷位置を基準図形に従って決定しないと判定した場合は、ステップＳ２２０５に進む。
【０１５４】
ステップＳ２２０５では、ＣＰＵ３０１は、原稿の左上隅を基準として、クリアトナーの印刷位置を示す情報の座標情報に示される距離だけ離れた位置をクリアトナー画像の印刷位置として特定し、ステップＳ２２０６に進む。
【０１５５】
ステップＳ２２０６では、ＣＰＵ３０１は、Ｃ，Ｍ，Ｙ，Ｋの通常のトナーを用いて読み取った原稿の画像データを印刷し、ステップＳ２２０７に進む。
【０１５６】
ステップＳ２２０７では、ＣＰＵ３０１は、ステップＳ２２０５で特定した印刷位置にクリアトナーの画像を印刷し、処理を終了する。
【０１５７】
一方、ステップＳ２２０８で、ＣＰＵ３０１は、ステップＳ２２０１で読み取られた画像のうち、クリアトナーを印刷するための印刷位置情報に含まれる図形ＩＤに基づいて識別される基準図形を特定する。そして、ＣＰＵ３０１は、特定された基準図形からクリアトナー領域セクション８０６に記載されたクリアトナーの印刷位置だけ離れた位置を基準として、クリアトナー画像の印刷位置を特定し、ステップＳ２２０９に進む。
【０１５８】
ステップＳ２２０９では、ＣＰＵ３０１は、Ｃ，Ｍ，Ｙ，Ｋの通常のトナーを用いて読み取った原稿の画像データを印刷し、ステップＳ２２１０に進む。
【０１５９】
ステップＳ２２１０では、ＣＰＵ３０１は、ステップＳ２２０８で特定した印刷位置にクリアトナーの画像を印刷し、処理を終了する。具体的には、ステップＳ２２０８にて特定した印刷位置から、クリアトナー領域セクションに含まれるサイズ分のクリアトナー画像を印刷する。
【０１６０】
図２３は、図２２のステップＳ２２０８〜ステップＳ２２１０において、ＭＦＰ１０２のＣＰＵ３０１により実行される処理を説明するための説明図である。
【０１６１】
まず、ＣＰＵ３０１は、スキャナ部３０４で読み取られた画像データからＰＣＡＭの情報を抽出し、抽出したＰＣＡＭの情報からクリアトナー画像の印刷位置を示す情報と図形ＩＤの情報とを取り出す。
【０１６２】
そして、ＣＰＵ３０１は、図形ＩＤの情報に基づいて基準図形を特定する。図２３では、矩形図形２３０２が基準図形としてＨＤＤ３０８に登録されている。
【０１６３】
次に、ＣＰＵ３０１は、ＰＣＡＭの情報から、クリアトナー画像の印刷位置を示す情報を読み出す。そして、ＣＰＵ３０１は、基準図形２３０２のある位置を基準として、そこから、クリアトナー画像の印刷位置を示す情報によって特定される座標の分だけ移動した位置を始点として特定する。
【０１６４】
次に、ＣＰＵ３０１は、ＰＣＡＭの情報のうち、クリアトナー領域セクションに含まれる情報に対応するサイズの情報と、傾きの情報に従って、クリアトナー画像の印字領域を決定してクリアトナーを印刷する。
【０１６５】
以上説明したように、本実施形態では、基準図形を定めておき、基準図形からの相対的な位置情報を基にクリアトナー画像の印刷位置を特定する。これにより、原稿台ガラスに原稿がずれた状態で置かれた場合であっても、クリアトナー画像を原稿画像に対して正確に重ねて印刷することができる。その他の構成及び作用効果は、上記第１の実施形態と同様である。
【０１６６】
なお、本実施形態におけるフローチャートに示す機能は、ネットワーク又は各種記憶媒体を介して取得したソフトウエア（プログラム）をＣＰＵ等の処理装置にて実行することでも実現できる。
【符号の説明】
【０１６７】
１０１    ＰＣ
１０２    ＭＦＰ
３０１    ＣＰＵ
３０２    ＲＯＭ
３０３    ＲＡＭ
３０８    ＨＤＤ
【図１】
2010278953.tif 000003
【図２】
2010278953.tif 000004
【図３】
2010278953.tif 000005
【図４】
2010278953.tif 000006
【図５】
2010278953.tif 000007
【図６】
2010278953.tif 000008
【図７】
2010278953.tif 000009
【図８】
2010278953.tif 000010
【図９】
2010278953.tif 000011
【図１０】
2010278953.tif 000012
【図１１】
2010278953.tif 000013
【図１２】
2010278953.tif 000014
【図１３】
2010278953.tif 000015
【図１４】
2010278953.tif 000016
【図１５】
2010278953.tif 000017
【図１６】
2010278953.tif 000018
【図１７】
2010278953.tif 000019
【図１８】
2010278953.tif 000020
【図１９】
2010278953.tif 000021
【図２０】
2010278953.tif 000022
【図２１】
2010278953.tif 000023
【図２２】
2010278953.tif 000024
【図２３】
2010278953.tif 000025